(57)【要約】【課題】  割り込みモードで画像形成を行った記録紙を別のトレイに排出する。又、ジャム・メモリフルが発生したときに排出される白紙を別のトレイに排出する。【解決手段】  記録媒体である記録シートを積載するトレイである少なくとも１つ以上の排紙トレイと記録シートを積載するトレイである予備トレイとジョブを一時中断して、中断したジョブとは異なるジョブである割り込みジョブを開始する手段とを備え、割り込みジョブで画像形成した記録シート、あるいは所望した画像形成を行うことができなかった記録シートを予備トレイに排出し、予備トレイに排出しない記録シートは排紙トレイに排出する手段を有することを特徴とする画像形成装置。【選択図】        図１
2005022875.tif 000002
【特許請求の範囲】
【請求項１】
画像データに基づいてシート上に画像形成を行う画像形成装置であって、
画像形成後のシートを排出する第１の排出部及び第２の排出部と、
前記第１の排出部と第２の排出部への切り替え排出動作を制御するＣＰＵを備え、
前記ＣＰＵは、画像形成する部数が単数であるか複数であるかにかかわらず画像形成されたシートを前記第１の排出部に排出し、
所定の画像形成が行われなかったシートは前記第２の排出部に排出させることを特徴とする画像形成装置。
【請求項２】
前記所定の画像形成がシートに行われないのは、原稿給送装置でジャムが発生したことにより画像形成が行われなかった場合であることを特徴とする請求項１に記載の画像形成装置。
【請求項３】
前記所定の画像形成がシートに行われないのは、画像メモリの空き容量に応じて原稿給送装置で読み取りを中断したことにより画像形成が行われなかった場合であることを特徴とする請求項１に記載の画像形成装置。
【請求項４】
画像データに基づいてシート上に画像形成を行う画像形成装置の制御方法であって、
画像形成後のシートを排出する第１の排出部及び第２の排出部を設けておき、
画像形成する部数が単数であるか複数であるかにかかわらず画像形成されたシートを前記第１の排出部に排出させる制御を行うとともに、
所定の画像形成が行われなかったシートは前記第２の排出部に排出させる制御を行うことを特徴とする画像形成装置の制御方法。
【発明の詳細な説明】
【技術分野】
【０００１】
本発明は、画像データに基づいてシートに画像形成を行う画像形成装置及びその制御方法に関するものである。
【背景技術】
【０００２】
従来の画像形成装置では、現在の画像形成ジョブを中断して他の画像形成ジョブを行う際に、現在のジョブを一時中断した後に他のジョブを行なう割り込みモードで画像形成した記録シートとジョブを中断する前に画像形成した記録シートを同一のトレイに排出するようにしている。
【０００３】
また、ジャムなどでジョブを中断したあとにジョブを再開した場合に、正常に画像形成が行なうことができなかった記録シートとジョブを中断する前に画像形成した記録シートを同一のトレイに排出するようにしている。
【発明の開示】
【発明が解決しようとする課題】
【０００４】
しかしながら、上記のような従来の画像形成装置においては、ジョブを一時中断した後に他のジョブを行なう割り込みモードで画像形成した記録シートとジョブを中断する前に画像形成した記録シートを同一のトレイに排出するため、ジョブを中断するまえに排出した記録シートとジョブを再開した後に排出した記録シートの間に割り込みモードで画像形成した記録シートが積載されてしまうので割り込みモードで画像形成した記録シートがどれであるかわからなくなってしまうという問題点があった。
【０００５】
また、ジャムなどでジョブを中断したあとにジョブを再開した場合に、正常に画像形成が行なうことができなかった記録シートとジョブを中断する前に画像形成した記録シートを同一のトレイに排出するため、ジョブを中断するまえに排出した記録シートとジョブを再開した後に排出した記録シートの間に正常に画像形成が行なうことができなかった記録シートが積載されてしまうことがあり不要な記録シートが混載されてしまう可能性があるという問題点があった。
【０００６】
本発明は、上記のような問題点を解決するためになされたものであり、所望の画像形成が行われたシートを確認する手間がかかることのない画像形成装置及びその制御方法を提供することにある。
【課題を解決するための手段】
【０００７】
本発明の画像形成装置及びその制御方法並びに記憶媒体は次のように構成したものである。
【０００８】
画像データに基づいてシート上に画像形成を行う画像形成装置において、画像形成後のシートを排出する第１の排出部及び第２の排出部と、前記第１の排出部と第２の排出部への切り替え排出動作を制御するＣＰＵを備え、前記ＣＰＵは、画像形成する部数が単数であるか複数であるかにかかわらず画像形成されたシートを前記第１の排出部に排出し、所定の画像形成が行われなかったシートは前記第２の排出部に排出させるようにした。
【０００９】
また、画像データに基づいてシート上に画像形成を行う画像形成装置の制御方法において、画像形成後のシートを排出する第１の排出部及び第２の排出部を設けておき、画像形成する部数が単数であるか複数であるかにかかわらず画像形成されたシートを前記第１の排出部に排出させる制御を行うとともに、所定の画像形成が行われなかったシートは前記第２の排出部に排出させる制御を行うようにした。
【発明の効果】
【００１０】
以上説明したように、本発明によれば、画像形成後のシートを排出する第１の排出部及び第２の排出部を備え、画像形成する部数が単数であるか複数であるかにかかわらず画像形成されたシートを前記第１の排出部に排出させる第１の制御手段と、画像形成ジョブの実行中に他の画像形成ジョブを割り込み処理したときにその割り込み処理したシートを前記第２の排出部に排出させる第２の制御手段とを有するようにしたため、割り込み処理したシートとその割り込み前の画像形成ジョブによるシートを容易に区別することができるという効果がある。
【００１１】
また、所定の画像形成が行われなかったシートは前記第２の排出部に排出させる第２の制御手段を有するようにしたため、不要のシートと容易に区別することができるという効果がある。
【００１２】
また、ジャムの発生により画像形成が行われなかったシートを前記第２の排出部に排出させる第２の制御手段とを有するようにしたしたため、上記同様不要のシートと容易に区別することができるという効果がある。
【００１３】
また、画像形成ジョブの中断により画像形成が行われなかったシートを前記第２の排出部に排出させる第２の制御手段とを有するようにしたため、上記同様不要のシートと容易に区別することができるという効果がある。
【発明を実施するための最良の形態】
【００１４】
図１は本発明の一実施例による画像形成装置の全体構成を示す断面図である。
【００１５】
同図において、１００および２００は、それぞれ装置本体を構成する画像入力装置および画像出力装置であり、画像入力装置（以下、リーダ部と称する）１００は原稿を画像データに変換し、画像出力装置（以下、プリンタと称する）２００は複数種類の記録紙カセットを有し、プリント命令により画像データを記録紙上に可視像として出力する。３００は循環式自動原稿送り装置（以下ＲＤＦと称す）、４００はシート後処理装置（以下、ソートと称す）である。
【００１６】
２５０はリーダ部１００と電気的に接続された外部装置である。この外部装置２５０は各種の機能を有し、ファックス部、ファイル部、ファイル部と接続されている外部記憶装置、コンピュータと接続するためのコンピュータインターフェイス部、コンピュータからの情報を可視像とするためのフォーマッタ部、リーダ部からの情報を蓄積したり、コンピュータから送られてきた情報を一時的に蓄積するためのイメージメモリ部、及び上記各機能を制御するコア部等を備えている（不図示）。
【００１７】
ＲＤＦ３００上に積載された原稿は、１枚ずつ順次プラテンガラス面１０２上に搬送される。原稿がガラス面１０２の所定位置へ搬送されると、リーダ部１００のランプ１０３が点灯、かつスキャナ・ユニット１０４が移動して原稿を照射する。原稿からの反射光は、ミラー１０５，１０６，１０７、レンズ１０８を介してＣＣＤ（イメージ・センサ）１０９に入力される。
【００１８】
そして、ＣＣＤ１０９に照射された原稿の反射光は、ここで光電変換等の電気処理が行われ、通常のデジタル処理が施される。このようにして得られた画像信号はプリンタ部２００に入力される。プリンタ部２００に入力された画像信号は、露光制御部２０１にて変調された光信号に変換されて感光体２０２を照射する。照射光によって感光体２０２上に作られた潜像は現像器２０３によって現像される。
【００１９】
上記現像された像の先端とタイミングを合わせて転写紙積載部２０４、もしくは２０５より各々のサイズの転写紙が搬送され、転写部２０６に於て、転写紙上に上記現像された像が転写される。転写された像が定着部２０７にて転写紙に定着された後、排紙部２０８より装置外に転写紙が排出される。そして、排紙部２０８から出力された転写紙は、ソータ４００であらかじめ指定された動作モードに応じて、仕分け、綴じ等が行われる。
【００２０】
続いて、順次読み込む画像を１枚の出力用紙（転写紙）の両面に画像形成する方法について説明する。定着部２０７で定着された出力用紙を、一度、排紙部２０８まで搬送後、用紙の搬送向きを反転して、搬送方向切り替え部材２０９を介して再給紙用被転写紙積載部２１０に搬送する。次の原稿が準備されると、上記プロセスと同様にして原稿画像が読みとられ感光体２０２上に潜像が形成されるが転写紙は再給紙用被転写紙積載部２１０より給紙されるので、結局、同一出力紙の表面および裏面に各々別の原稿画像を出力することができる。
【００２１】
次にＲＤＦ３００について説明する。図２は図１のＲＤＦ３００の構成を示す断面図である。
【００２２】
図２示すように、ＲＤＦ３００には、原稿束Ｓをセットする第一の原稿トレイとしての積載トレイ３１０が装備されている。
【００２３】
また、積載トレイ３１０には、原稿給送手段の一方の部分を構成する給送手段が装備されている。この給送手段は、半月ローラ３３１と、分離搬送ローラ３３２と、分離モータ（ＳＰＲＭＴＲ）（不図示）と、レジスト・ローラ３３５と、全面ベルト３３６と、ベルト・モータ（ＢＥＬＭＴＲ）（不図示）と、搬送大ローラ３３７と、搬送モータ（ＦＥＥＤＭＴＲ）（不図示）と、排紙ローラ３４０と、フラッパ３４１と、リサイクルレバー３４２と、給紙センサ（ＥＮＴＳ）、反転センサ（ＴＲＮＳ）、排紙センサ（ＥＦＴＳ）（不図示）等から構成されている。
【００２４】
ここで、半月ローラ３３１と分離搬送ローラ３３２は、分離モータ（ＳＲＰＭＴＲ）により回転して、積載トレイ３１０上の原稿束Ｓの最下部から原稿を１枚ずつ分離する。また、レジスト・ローラ３３５と全面ベルト３３６は、ベルトモータ（ＢＥＬＴＭＴＲ）により回転して分離された原稿をシートパスａ，ｂを介してプラテンガラス面１０２上の露光位置（シートパスｃ）まで搬送する。また、搬送大ローラ３３７は搬送モータ（ＦＥＥＤＭＴＲ）により回転してプラテンガラス面１０２上の原稿をシートパスｃからシートパスｅに搬送する。このシートパスｅに搬送された原稿は、排紙ローラ３４０により積載トレイ３１０の原稿束上に戻される。
【００２５】
また、リサイクルレバー３４２は、原稿の一循環を検知するもので、原稿給送開始時にリサイクルレバー３４２を原稿束の上部に載せ、原稿が順次給送され、最終原稿の後端がリサイクルレバー３４２を抜ける時に自重で落下したことで原稿の一循環を検知する。
【００２６】
上記給送手段では、両面原稿時に、原稿を一旦シートパスａ，ｂからｃに導き、次いで搬送大ローラ３３７を回転し、フラッパ３４１を切り換えることで原稿の先端をシートパスｄに導き、次いでレジストローラ３３５によりシートパスｂを通し、この後全面ベルト３３６で原稿をプラテンガラス面１０２上に搬送して停止することで原稿を反転させている。すなわち、原稿をシートパスｃ〜ｄ〜ｂの経路で反転させている。なお、原稿束の原稿を１枚づつシートパスａ〜ｂ〜ｃ〜ｄ〜ｅを通して、リサイクルレバー３４２により一循環したことが検知されるまで搬送することによって、原稿の枚数をカウントすることができる。
【００２７】
次に操作部、表示部について説明する。
【００２８】
図３は上述の画像形成装置本体に設けた操作・表示パネルの配置構成例を示す説明図であり、操作・表示パネルは、キーとキー／表示できるＬＣＤディスプレイとを有する。
【００２９】
同図において、５０３は複写開始キー（コピースタートキー）であり、複写を開始するときに押す。５０４はクリア／ストップキーであり、待機（スタンバイ）中に押すとクリアキー、複写記録中はストップキーの機能を有する。このクリアキーは、設定した複写枚数を解除するときに押す。
【００３０】
５０２はテンキーであり、複写枚数を設定するときに押す。５０５は複写濃度キーであり、複写濃度を手動で調節するときに押す。５０６はＡＥキーであり、原稿の濃度に応じて、複写濃度を自動的に調節するときに、またはＡＥ（自動濃度調節）を解除して濃度調節をマニュアル（手動）に切り換えるときに押す。
【００３１】
５０８はカセット選択キーであり、上段カセット、中段カセット、下段ペーパーデッキを選択するときに押す。また、ＲＤＦ３００に原稿が載っているときには、このキー５０８によりＡＰＳ（自動用紙選択）が選択できる。ＡＰＳが選択されたときには、原稿と同じ大きさの複写紙のカセットが自動選択される。
【００３２】
５０９は等倍キーであり、等倍（原寸）の複写をとるときに押す。５１１はズームキーであり、６４〜１４２％の間で任意の倍率を指定するときに押す。５１０および５１２は定形変倍キーであり、定形サイズの縮小・拡大を指定するときに押す。また、５１５はソータの動作モードを選択するキーであり、排紙方法（ステイプル、ソート、グループ）、記録後の用紙をステイプルで綴じることのできるステイプラが接続されている場合はステイプルモード／ソートモード、記録済用紙の折り（断面Ｚ形／断面Ｖ形）、の選択および解除ができる。
【００３３】
さらに拡張機能キー５１３、画像処理キー５１４により、さまざまな処理を設定できる。例えば、両面モード、綴じ代設定、写真モード、多重処理、ページ連写、２ｉｎ１モード等である。５０１はさまざまなメッセージを表示するＬＣＤディスプレイであり、複写に関する情報を表示するものである。
【００３４】
次に上述の画像形成装置のシステム構成について説明する。
【００３５】
図４は一実施例の画像形成装置のシステム構成を示すブロック図であり、同図において、１はリーダ部、２はプリンタ部、３は外部機器２０やコンピュータ２１及びファクシミリとの通信を制御するコントロール部であり、バスあるいはシリアル通信等によりデータのやりとりを行い、同期をとっている。
【００３６】
ここで、本体よりＤＨに送信するデータは、ＤＨに積載されている原稿の給紙を促す給紙信号、プラテンガラス上の原稿の排紙を促す排紙信号、及び原稿の給排紙の形態を決める給排紙モードであり、又本体よりフィニッシャであるシート後処理装置４００に送信するデータは、画像形成モード、フィニッシャに収納するモード、収納されるシートサイズ、タイミング信号等である。そして動作を行っている場合には、通信コントロール部３のどの機能を使った動作なのかを示すデータが、リーダ部１、プリンタ部２よりそれぞれＤＨ、フィニッシャに通信を使って伝えられる。
【００３７】
また、通信コントロール部３はリーダ部１とケーブルで接続され、通信コントロール部３内のコア部１０で信号の制御や、各機能の制御を行う。通信コントロール部３内には、ファクス送受信を行うファクス部４、各種原稿情報を電気信号に変換し光磁気ディスク（外部記憶装置６）に保存するファイル部５、コンピュータ２１からのコード情報をイメージ情報に展開するフォーマッタ部８とコンピュータ２１とのインターフェイスを行うコンピュータインターフェイス部７、リーダ部１からの情報を蓄積したり、コンピュータ２１から送られてきた情報を一時的に蓄積するためのイメージメモリ部９、及び上記各機能を制御するコア部１０からなる。なお、１１はマンマシンインターフェイス部、１１ａはハードディスク、１１ｂはキーボード、１１ｃはディスプレイである。
【００３８】
次にリーダ部１について説明する。
【００３９】
図５は上記のリーダ部１の信号処理構成を示す回路ブロック図であり、以下、リーダ部１の構成および動作について説明する。
【００４０】
ＣＣＤ１０９に照射された原稿の反射光は、ここで光電変換され、レッド、グリーン、ブルーの各色の電気信号に変換される。ＣＣＤ１０９からのカラー情報は、次の増幅器１１０Ｒ，１１０Ｇ，１１０ＢでＡ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤ１０９の感度ムラが補正される。シェーディング回路１１２からの信号は、Ｙ（輝度）信号生成・色検出回路１１３及び外部Ｉ／Ｆ切り替え回路１１９に入力される。Ｙ信号生成・色検出回路１１３は、シェーディング回路１１２からの信号に対して下記の式で演算を行いＹ信号を得る。
【００４１】
Ｙ＝０．３Ｒ＋０．６Ｇ＋０．１Ｂ
さらに、回路１１３は、Ｒ，Ｇ，Ｂの信号から７つの色に分離し各色に対する信号を出力する色検出回路を有する。Ｙ信号生成・色検出回路１１３からの出力信号は、変倍・リピート回路１１４に入力される。スキャナユニット１０４の走査スピードにより副走査方向の変倍を、変倍・リピート回路１１４により主走査方向の変倍を行う。また変倍・リピート回路１１４により複数の同一画像を主走査方向に出力することが可能である。
【００４２】
輪郭・エッジ強調回路１１５は、変倍・リピート回路１１４からの信号の高周波成分を強調することによりエッジ強調および輪郭情報を得る。輪郭・エッジ強調回路１１５からの信号は、マーカエリア判定・輪郭生成回路１１６とパターン化・太らせ・マスキング・トリミング回路１１７に入力される。マーカエリア判定・輪郭生成回路１１６は、原稿上の指定された色のマーカペンで書かれた部分を読みとりマーカの輪郭情報を生成し、つぎのパターン化・太らせ・マスキング・トリミング回路１１７でこの輪郭情報から太らせやマスキングやトリミングを行う。また、Ｙ信号生成・色検出回路１１３からの色検出信号によりパターン化を行う。
【００４３】
パターン化・太らせ・マスキング・トリミング回路１１７からの出力信号は、レーザドライバ回路１１８に入力され各種処理された信号をレーザを駆動するための信号に変換する。レーザドライバ回路１１８の出力信号は、プリンタ部２に入力され可視像として画像形成が行われる。
【００４４】
次に、通信コントロール部との通信を行う外部Ｉ／Ｆ切り替え回路１１９について説明する。
【００４５】
外部Ｉ／Ｆ切り替え回路１１９は、リーダ部１から画像情報を外部に出力する場合、パターン化・太らせ・マスキング・トリミング回路１１７からの画像情報をコネクタ１２０を介して通信コントロール部３に出力する。また、通信コントロール部３からの画像情報をリーダ部１に入力する場合、外部切り替え回路１１９は、コネクタ１２０からの画像情報をＹ信号生成・色検出回路１１３に入力する。
【００４６】
上記の各画像処理は、ＣＰＵ１２２の指示により行われ、かつＣＰＵ１２２によって設定された値によりエリア信号生成回路１２１は、上記画像処理に必要な各種のタイミング信号を生成する。さらにＣＰＵ１２２に内蔵されている通信機能を用いて通信コントロール部３との通信を行う。ＳＵＢ・ＣＰＵ１２３は、操作部（表示部）１２４の制御を行うと共にＳＵＢ・ＣＰＵ１２３に内蔵されている通信機能を用いて通信コントロール部３との通信を行う。
【００４７】
次にコア部１０について説明する。
【００４８】
図６は上述のコア部１０の詳細構成を示すブロック図である。
【００４９】
同図において、１３１はコネクタであり、リーダ部１のコネクタ１２０とケーブルで接続されている。コネクタ１３１を介して、４種類の信号により通信が行われ、信号１８７は、８ｂｉｔ多値のビデオ信号である。信号１８５は、ビデオ信号を制御する制御信号である。信号１８１は、リーダ部１内のＣＰＵ１２２と通信を行う。信号１８２は、リーダ１内のＳＵＢ・ＣＰＵ１２３と通信を行う。信号１８１と信号１８２は、通信用ＩＣ１３２で通信プロトコル処理されＣＰＵバス１８３を介してＣＰＵ１３３に通信情報を伝達する。
【００５０】
信号１８７は、双方向のビデオ信号ラインであり、リーダ部１からの情報をコア部１０で受け取ることや、コア部１０からの情報をリーダ部１に出力することが可能である。信号１８７は、バッファ１４０に接続され、ここで双方向信号から片方向の信号１８８と信号１７０に分離される。
【００５１】
信号１８８は、リーダ部１からの８ビット多値のビデオ信号であり次段のＬＵＴ１４１に入力される。ＬＵＴ１４１では、リーダ部１からの画像情報をルックアップテーブルにより所望する値に変換する。ＬＵＴ１４１からの出力信号１８９は二値化回路１４２または、セレクタ１４３に入力される。二値化回路１４２には、多値の信号１８９を固定のスライスレベルで二値化する単純二値化機能、スライスレベルが注目画素の回りの画素の値から変動する変動スライスレベルによる二値化機能、および誤差拡散法による二値化機能を有する。
【００５２】
二値化された情報は０の時００Ｈ、１のときＦＦＨの多値信号に変換され、次段のセレクタ１４３に入力される。セレクタ１４３は、ＬＵＴ１４１からの信号か、または二値化回路１４２の出力信号かを選択する。セレクタ１４３からの出力信号１９０は、セレクタ１４４に入力される。
【００５３】
セレクタ１４４は、ファクス部４、ファイル部５、コンピュータインターフェイス部７、フォーマッタ部８、イメージメモリ部９からの出力ビデオ信号をそれぞれコネクタ１３５，１３６，１３７，１３８，１３９を介してコア部１０に入力した信号１９４と、セレクタ１４３の出力信号１９０とをＣＰＵ１３３の指示により選択する。セレクタ１４４の出力信号１９１は、回転回路１４５、またはセレクタ１４６に入力される。回転回路１４５は入力した画像信号を＋９０度，−９０度，＋１８０度に回転する機能を有する。回転回路１４５は、リーダ部１から出力された情報を二値化回路１４２で２値信号に変換された後、回転回路１４５にリーダ部１からの情報として記憶する。
【００５４】
次にＣＰＵ１３３からの指示により回転回路１４５は、記憶した情報を回転して読み出す。セレクタ１４６は、回転回路１４５の出力信号１９２と、回転回路１４５の入力信号１９１のどちらかを選択し、信号１９３として、ファクス部４とのコネクタ１３５、ファイル部５とのコネクタ１３６、コンピュータインターフェイス部７とのコネクタ１３７、フォーマッタ部８とのコネクタ１３８、イメージメモリ部９とのコネクタ１３９とセレクタ１４７に出力する。
【００５５】
信号１９３はコア部１０からファクス部４、ファイル部５、コンピュータインターフェイス部７、フォーマッタ部８、イメージメモリ部９へ画像情報の転送を行う同期式８ビットの片方向ビデオバスである。信号１９４は、ファクス部４、ファイル部５、コンピュータインターフェイス部７、フォーマッタ部８、イメージメモリ部９からの画像情報の転送を行う同期式８ビットの片方向ビデオバスである。
【００５６】
上記の信号１９３と信号１９４の同期式バスの制御を行っているのがビデオ制御回路１３４であり、ビデオ制御回路１３４からの出力信号１８６によって制御を行う。コネクタ１３５〜コネクタ１３９には、ほかに信号１８４がそれぞれ接続される。信号１８４は、双方向の１６ビットＣＰＵバスであり、非同期式によるデータ・コマンドのやり取りを行う。ファクス部４、ファイル部５、コンピュータインターフェイス部７、フォーマッタ部８、イメージメモリ部９とコア部１０との情報の転送は、上記の２つのビデオバス１９３，１９４とＣＰＵバス１８４によって可能である。
【００５７】
ファクス部４、ファイル部５、コンピュータインターフェイス部７、フォーマッタ部８、イメージメモリ部９からの信号１９４は、セレクタ１４４とセレクタ１４７に入力される。セレクタ１４４は、ＣＰＵ１３３の指示により信号１９４を次段の回転回路１４５に入力する。セレクタ１４７は、信号１９３と信号１９４をＣＰＵ１３３の指示により選択する。セレクタ１４７の出力信号１９５は、パターンマッチング１４８とセレクタ１４９に入力される。
【００５８】
パターンマッチング１４８は、入力信号１９５を予め決められたパターンとパターンマッチングを行いパターンが一致した場合、予め決められた多値の信号を信号ライン１９６に出力する。パターンマッチングで一致しなかった場合は、入力信号１９５を信号１９６に出力する。セレクタ１４９は信号１９５と信号１９６をＣＰＵ１３３の指示により選択する。
【００５９】
セレクタ１４９の出力信号１９７は、次段のＬＵＴ１５０に入力される。ＬＵＴ１５０は、プリンタ部２に画像情報を出力する際にプリンタの特性に合わせて入力信号１９７を変換する。セレクタ１５１は、ＬＵＴ１５０の出力信号１９８と信号１９５とをＣＰＵ１３３の指示により選択する。セレクタ１５１の出力信号１９９は次段の拡大回路１５２に入力される。
【００６０】
拡大回路１５２は、ＣＰＵ１３３からの指示によりＸ方向、Ｙ方向に拡大倍率を設定することが可能である。拡大方法は、１次の線形補間方法である。拡大回路１５２の出力信号１７０は、バッファ１４０に入力される。バッファ１４０に入力された信号１７０は、ＣＰＵ１３３の指示により双方向信号１８７となりコネクタ１３１を介しプリンタ部２に送られプリントアウトされる。以下、コア部１０と各部との間の信号の流れを説明する。
【００６１】
コア部１０の動作をファクス部４に情報を出力する場合について説明する。
【００６２】
ＣＰＵ１３３は、通信ＩＣ１３２を介して、リーダ部１のＣＰＵ１２２と通信を行い、原稿スキャン命令を出す。リーダ部１は、この命令により原稿をスキャナユニット１０４がスキャンすることにより、画像情報をコネクタ１２０に出力する。
【００６３】
リーダ部１と通信コントロール部３は、ケーブルで接続されており、リーダ部１からの情報は、コア部１０のコネクタ１３１に入力される。また、コネクタ１３１に入力された画像情報は、多値８ｂｉｔの信号１８７のラインを通ってバッファ１４０に入力される。バッファ１４０はＣＰＵ１３３の指示により双方向信号１８７を片方向信号として信号１８８のラインを介してＬＵＴ１４１に入力する。ＬＵＴ１４１ではリーダ部１からの画像情報をルックアップテーブルを用いて所望する値に変換する。例えば、原稿の下地を飛ばすことなどが可能である。ＬＵＴ１４１の出力信号１８９は次段の二値化回路１４２に入力される。
【００６４】
二値化回路１４２は８ｂｉｔ多値信号１８９を二値化信号に変換する。二値化回路１４２は、二値化された信号が０の場合００Ｈ、１の場合ＦＦＨと２つの多値の信号に変換する。二値化回路１４２の出力信号は、セレクタ１４３、セレクタ１４４を介し回転回路１４５または、セレクタ１４６に入力される。回転回路１４５の出力信号１９２もセレクタ１４６に入力され、セレクタ１４６は、信号１９１か、信号１９２のどちらかを選択する。信号の選択は、ＣＰＵ１３３がＣＰＵバス１８４を介してファクス部４と通信を行うことにより決定する。セレクタ１４６からの出力信号１９３は、コネクタ１３５を介してファクス部４に送られる。
【００６５】
次にコア部１０の動作をファクス部４からの情報を受け取る場合について説明する。
【００６６】
ファクス部４からの画像情報はコネクタ１３５を介して信号１９４のラインに伝送される。信号１９４は、セレクタ１４４とセレクタ１４７に入力される。ＣＰＵ１３３の指示によりプリンタ部２にファクス受信時の画像を回転して出力する場合には、セレクタ１４４に入力した信号１９４を回転回路１４５で回転処理する。回転回路１４５からの出力信号１９２はセレクタ１４６、セレクタ１４７を介してパターンマッチング１４８に入力される。ＣＰＵ１３３の指示によりファクス受信時の画像をそのままプリンタ２に出力する場合には、セレクタ１４７に入力した信号１９４をパターンマッチング１４８に入力する。
【００６７】
パターンマッチング１４８は、ファクス受信した際の画像のガタガタを滑らかにする機能を有する。パターンマッチングされた信号は、セレクタ１４９を介してＬＵＴ１５０に入力される。ＬＵＴ１５０は、ファクス受信した画像をプリンタ部２に所望する濃度で出力するために、ＬＵＴ１５０のテーブルはＣＰＵ１３３で変更可能となっている。ＬＵＴ１５０の出力信号１９８は、セレクタ１５１を介して拡大回路１５２に入力される。
【００６８】
拡大回路１５２は、２つの値（００Ｈ，ＦＦＨ）を有する８ｂｉｔ多値を、１次の線形補間法により拡大処理を行う。拡大回路１５２からの多くの値を有する８ｂｉｔ多値信号は、バッファ１４０とコネクタ１３１を介してリーダ部１に送られる。リーダ部１は、この信号をコネクタ１２０を介し外部Ｉ／Ｆ切り替え回路１１９に入力する。外部Ｉ／Ｆ切り替え回路１１９は、ファクス部４からの信号をＹ信号生成・色検出回路１１３に入力する。Ｙ信号生成・色検出回路１１３からの出力信号は、前記したような処理をされた後、プリンタ部２に出力され出力用紙上に画像形成が行われる。
【００６９】
次にコア部１０の動作をファイル部５に情報を出力する場合について説明する。
【００７０】
ＣＰＵ１３３は、通信ＩＣ１３２を介して、リーダ部１のＣＰＵ１２２と通信を行い、原稿スキャン命令を出す。リーダ部１は、この命令により原稿をスキャナユニット１０４がスキャンすることにより、画像情報をコネクタ１２０に出力する。リーダ部１と通信コントロール部３は、ケーブルで接続されておりリーダ部１からの情報は、コア部１０のコネクタ１３１に入力される。
【００７１】
コネクタ１３１に入力された画像情報は、バッファ１４０によって片方向の信号１８８となる。多値８ｂｉｔの信号である信号１８８はＬＵＴ１４１によって所望する信号に変換される。ＬＵＴ１４１の出力信号１８９は、セレクタ１４３、セレクタ１４４、セレクタ１４６を介してコネクタ１３６に入力される。即ち二値化回路１４２および回転回路１４５の機能を用いずに８ビット多値のままファイル部５に転送する。
【００７２】
ＣＰＵ１３３のＣＰＵバス１８４を介してファイル部５との通信により二値化信号のファイリングを行う場合には、二値化回路１４２、回転回路１４５の機能を使用する。二値化処理および回転処理は、上記したファクスの場合と同様なため略す。
【００７３】
次にコア部１０の動作をファイル部５からの情報を受け取る場合について説明する。
【００７４】
ファイル部５からの画像情報はコネクタ１３６を介し、信号１９４としてセレクタ１４４かセレクタ１４７に入力される。８ｂｉｔ多値のファイリングの場合はセレクタ１４７へ、２値のファイリングの場合には、セレクタ１４４または、１４７に入力することが可能である。２値のファイリングの場合は、ファクスと同様な処理のため説明を略す。
【００７５】
多値のファイリングの場合セレクタ１４７からの出力信号１９５をセレクタ１４９を介してＬＵＴ１５０に入力する。ＬＵＴ１５０では、所望するプリント濃度に合わせてＣＰＵ１３３の指示によりルックアップテーブルを作成する。ＬＵＴ１５０からの出力信号１９８は、セレクタ１５１を介して拡大回路１５２に入力される。拡大回路１５２によって所望する拡大率に拡大した８ｂｉｔ多値信号１７０は、バッファ１４０、コネクタ１３１を介してリーダ部１に送られる。リーダ部１に送られたファイル部の情報は、上記したファクスと同様に、プリンタ部２に出力され出力用紙上に画像形成が行われる。
【００７６】
次にコンピュータ・インターフェイス部７の情報によるコア部１０の動作を説明する。
【００７７】
コンピュータ・インターフェイス部７は、通信コントロール部３に接続されるコンピュータとのインターフェイスを行う。コンピュータ・インターフェイス部７は、ＳＣＳＩ，ＲＳ２３２Ｃ，セントロニクス系との通信を行う複数のインターフェイスを備えている。コンピュータ・インターフェイス部７は、上記の３種類のインターフェイスを有し、各インターフェイスからの情報は、コネクタ１３７とデータバス１８４を介しＣＰＵ１３３に送られる。ＣＰＵ１３３は、送られてきた内容から各種の制御を行う。
【００７８】
次にフォーマッタ部８の情報によるコア部１０の動作を説明する。
【００７９】
フォーマッタ部８は、上に述べたコンピュータインターフェイス部７から送られてきた文書ファイルなどのコマンドデータをイメージデータに展開する機能を有する。ＣＰＵ１３３は、コンピュータ・インターフェイス部７からデータバス１８４を介して送られてきたデータが、フォーマッタ部８に関するデータであると判断すると、コネクタ１３８を介しデータをフォーマッタ部８に転送する。フォーマッタ部８は、転送されたデータから文字や図形などの様に意味のある画像としてメモリに展開する。
【００８０】
次にフォーマッタ部８からの情報を受け取り出力用紙上に画像形成を行う手順について説明する。
【００８１】
フォーマッタ部８からの画像情報はコネクタ１３８を介して、信号１９４のラインに２つの値（００Ｈ，ＦＦＨ）を有する多値信号として伝送される。信号１９４は、セレクタ１４４、セレクタ１４７に入力される。ＣＰＵ１３３の指示によりセレクタ１４４および１４７を制御する。以後、上記したファクスの場合と同様なため説明を略す。
【００８２】
次にイメージ・メモリ部９に情報を出力する場合のコア部１０の動作について説明する。
【００８３】
ＣＰＵ１３３は、通信ＩＣ１３２を介して、リーダ部１のＣＰＵ１２２と通信を行い、原稿スキャン命令を出す。リーダ部１は、この命令により原稿をスキャナユニット１０４がスキャンすることにより、画像情報をコネクタ１２０に出力する。リーダ部１と通信コントロール部３は、ケーブルで接続されておりリーダ部１からの情報は、コア部１０のコネクタ１３１に入力される。コネクタ１３１に入力された画像情報は、多値８ｂｉｔの信号１８７のライン、バッファ１４０を介してＬＵＴ１４１に送られる。
【００８４】
ＬＵＴ１４１の出力信号１８９は、セレクタ１４３，１４４，１４６、コネクタ１３９を介してイメージメモリ部９へ、多値画像情報を転送する。イメージメモリ部９に記憶された画像情報は、コネクタ１３９のＣＰＵバス１８４を介してＣＰＵ１３３に送られる。ＣＰＵ１３３は、上に述べたコンピュータインターフェイス部７にイメージメモリ部９から送られてきたデータを転送する。コンピュータインターフェイス部７は、上記した３種類のインターフェイス（ＳＣＳＩ，ＲＳ２３２Ｃ，セントロニクス）のうちで所望するインターフェイスでコンピュータに転送する。
【００８５】
次にイメージメモリ部９からの情報を受け取る場合について説明する。
【００８６】
まず、コンピュータインターフェイス部７を介してコンピュータから画像情報がコア部１０に送られる。コア部１０のＣＰＵ１３３は、コンピュータ・インターフェイス部７からＣＰＵバス１８４を介して送られてきたデータが、イメージメモリ部９に関するデータであると判断すると、コネクタ１３９を介しイメージメモリ部９に転送する。次にイメージメモリ部９は、コネクタ１３９を介して８ｂｉｔ多値信号１９４をセレクタ１４４、セレクタ１４７に伝送する。セレクタ１４４または、セレクタ１４７からの出力信号は、ＣＰＵ１３３の指示により、上記したファクスと同様に、プリンタ部２に出力され出力用紙上に画像形成が行われる。
【００８７】
次にＲＤＦ制御装置について説明する。
【００８８】
図７は、本実施例のＲＤＦ３００の制御装置の回路構成を示すブロック図であり、図７に示す中央演算処理装置（ＣＰＵ）９０１、読み出し専用メモリ（ＲＯＭ）９０２、ランダムアクセスメモリ（ＲＡＭ）９０３、出力ポート９０４、入力ポート９０５等によりＲＤＦ３００の制御装置が構成されている。ＲＯＭ９０２には制御プログラムが格納され、ＲＡＭ９０３には入力データや作業用データが記憶されている。
【００８９】
また出力ポート９０４には仕切り部材モータ９０６、分離モータ９０７、反転モータ９０８、ベルトモータ９０９、排紙モータ９１０、トレイ揺動モータ９１７等の各種モータや分離クラッチ９１１、給紙クラッチ９１２、ストッパＳＬ（ソレノイド）９１３、ウエイトＳＬ９１４、反転フラッパＳＬ９１５、排紙フラッパ９１６、ジョギングＳＬ９１８、ブレーキ９１９が接続されている。
【００９０】
入力ポート９０５にはシート材長さ検知手段９２０、入口センサ９２１、出口センサ９２２、反転センサ９２３、第１排紙センサ９２４、第２排紙センサ９２５、第３排紙センサ９２６、分離クロック９２７、ベルトクロック９２８、反転クロック９２９、排紙クロック９３０、上部リミットＳＷ（スイッチ）９３１、下部リミットＳＷ９３２、仕切りセンサ９３３が接続されである。そして、ＣＰＵ９０１がＲＯＭ９０２に格納された制御プログラムに従ってバスを介して接続された各部を制御する。また、ＣＰＵ９０１はシリアルインターフェース機能を備えており、リーダ部１のＣＰＵ１２２とシリアル通信を行い、リーダ部１との間で制御データの授受を行っている。ＤＨよりリーダ部１に送信されるデータは、原稿のプラテンガラス上への給紙完了を示す給紙完了信号等である。
【００９１】
次にシート後処理装置１０００について説明する。
【００９２】
図８は本実施例のシート後処理装置４００の制御装置の回路構成を示すブロック図である。シート後処理装置４００の制御装置は、図８に示す制御部１０６１を備えており、該制御部１０６１は、中央演算処理装置（ＣＰＵ）１０６２、該ＣＰＵ１０６２をコントロールする制御プログラムを格納したＲＯＭ１０６３、そして主記録装置たるＲＡＭ１０６５からなり、メインモータ等の負荷に制御信号を出力する出力インターフェイス１０６６、各センサからの検知信号を入力する入力インターフェイス１０６７、と接続されている。
【００９３】
また、複写機本体及び原稿自動給送装置３００の各負荷及び各センサ等も同様に図示しない各インターフェイスを介して接続されている。そして、該出力インターフェイス１０６６には、束搬送モータＭ１、揺動モータＭ２、ステッピングモータ４８２、ステイプラモータＭ３、トレイ昇降モータＭ４及び搬送モータＭ５が接続されており、入力インターフェイス１０６７には、シート検知センサＳ５，Ｓ６、幅寄板ホームポジション（ＨＰ）センサＳ７、シートレベルセンサ４１５及びマイクロスイッチ４９７が接続されている。
【００９４】
以上の説明を踏まえた上で、本出願に係る発明を特徴づけている排紙部及び制御について図１を用いて説明する。
【００９５】
前述したように画像形成が行われたシートは排紙部２０８を通過しシート後処理装置４００に搬送される。シート後処理装置４００ではフラッパ４０３をソレノイドの駆動によって上下に可動することが可能であるので、シートを排紙トレイ（第１の排出部）４０１に排出するか予備トレイ（第２の排出部）４０２に排出するかによってフラッパ４０３を可動してシートの搬送経路を切り替えている。
【００９６】
フラッパ４０３による切り替えにより搬送経路が予備トレイ４０２側になっている場合、排紙部２０８から排紙されたシートは予備トレイ側ローラ４０４まで搬送され予備トレイ側ローラ４０４の駆動により予備トレイ４０２に排出される。また、フラッパ４０３による切り替えにより搬送経路が排紙トレイ４０１側になっている場合、排紙部２０８から排紙されたシートは排紙トレイ側ローラ４０５まで搬送され、排紙トレイ側ローラ４０５の駆動により排紙トレイ４０１に排出される。
【００９７】
次に、上記構成により割り込みジョブが開始された場合の排出処理について説明する。
【００９８】
複数の画像形成動作を行なう連続動作中はフラッパ４０３を切り替えて、排紙トレイ４０１へ搬送経路を切り替えておく。これによって画像形成されたシートは順次排紙トレイ４０１へ積載されてゆく。このような連続動作中に操作部上の割り込みキーの押下が行われた場合、中断処理を行なう。まず用紙カセット２０４及び２０５からの給紙を停止する。転写紙への定着が済んでいる排紙部２０８近傍に存在しているシートは排紙トレイ４０１への排出を行なう。
【００９９】
用紙カセット２０４及び２０５からの給紙が開始されていて転写・定着が行われていないシートについては転写部２０６へ搬送し転写を行い、次に定着部２０７へ搬送し定着を行なう。次に排紙部２０８まで搬送する。さらにシート後処理装置４００では排紙トレイ４０１への排出を行なう。給紙された全てのシートを排出した後、搬送経路を予備トレイ４０２側へ切り替える。次にコピースタートが押下され割り込みジョブが開始した後に画像形成されたシートは予備トレイ４０２へ排出される。割り込みジョブ終了後に操作部上の割り込みキーが押下されると「スタートキーを押して下さい」の文字をＬＣＤディスプレイに表示を行なって、さらにコピースタートキーの押下を待つ。コピースタートキーが押下された場合はフラッパ４０３を切り替えて、排紙トレイ４０１へ搬送経路を切り替え、給紙動作を開始して中断していたジョブを再開する。搬送経路は排紙トレイ４０１へ切り替えられているので再開されたジョブで画像形成を行なったシートは排紙トレイ４０１へと順次排紙されてゆく。
【０１００】
次に、所望の画像形成が行われなかったり、ジャムが発生した場合の処理について説明する。
【０１０１】
複数の画像形成動作を行なう連続動作中にＲＤＦ３００でジャムが検知された場合は、まず用紙カセット２０４及び２０５からの給紙を停止する。転写紙への定着が済んでいる排紙部２０８近傍に存在しているシートは排紙トレイ４０１への排出を行なう。用紙カセット２０４及び２０５近傍で給紙が開始されたシートについては転写部２０６へ搬送する。ただしジャムが発生しているため正常に画像を読み取れていない可能性があるので転写は行なわない制御とする。次に定着部２０７へ搬送する。転写が行われていないため定着部２０７での定着は行なわない制御とする。次に排紙部２０８まで搬送する。さらにシート後処理装置では、予備トレイ４０２へ排出するよう搬送経路を切り替える。これによってシートは予備トレイ側ローラ４０４へ搬送され、予備トレイ４０２に排出される。
【０１０２】
次に、読み取りを中断した場合の処理について説明する。
【０１０３】
複数の画像形成動作を行なう連続動作中にＲＤＦ３００で画像読み取りを行ない画像メモリへ順次、画像信号を蓄積している時、画像メモリの空き容量が少なくなり画像信号の蓄積が不可能となった場合に中断を行なう。まず用紙カセット２０４及び２０５からの給紙を停止する。転写紙への定着が済んでいる排紙部２０８近傍に存在しているシートは排紙トレイ４０１への排出を行なう。用紙カセット２０４及び２０５近傍で給紙が開始されたシートについては転写部２０８へ搬送する。ただしジャムが発生しているため正常に画像を読み取れていない可能性があるので転写は行なわない制御とする。
【０１０４】
次に定着部２０７へ搬送する。転写が行われていないため定着部２０７での定着は行なわない制御とする。次に排紙部２０８まで搬送する。さらにシート後処理装置では、予備トレイ４０２へ排出するよう搬送経路を切り替える。これによってシートは予備トレイ側ローラ４０４へ搬送され、予備トレイ４０２に排出される。
【０１０５】
上述した排出トレイ４０１、予備トレイ４０２への切り換え排出動作はＣＰＵ（第１、第２の制御手段）１０６２により行われる。
【０１０６】
図９のフローチャートを用いてジョブ実行中の排紙制御の例について説明する。なお、図９の排紙制御動作はＲＯＭ１０６３にあらかじめ格納されたプログラムラムに基づいてＣＰＵ１０６２の指示で行われる。
【０１０７】
ステップＳ１では使用者によって行われる部数、コピーモード等の操作部設定を受け付けるよう動作する。ステップＳ２ではコピースタートキーの状態を検知してコピースタートキーが押下されたことを検知すればステップＳ３へ、そうでなければステップＳ１へ進む。ステップＳ３では設定された部数が単数であるか複数であるかにかかわらず図１で示すフラッパ４０３を切り替えて記録シートが排紙トレイ４０１へ排出されるよう搬送経路の制御を行なう。次にフラッパ４０３を切り替える制御が行われるまで搬送経路の状態は保持される。
【０１０８】
ステップＳ４では用紙カセット２０４からの給紙を開始し、ジョブする終了まで所定の時間毎に給紙が行われる。ステップＳ５では画像形成動作を開始する。ステップＳ４で給紙された記録シートが転写部２０６に搬送されると前述したように転写・定着が行われ記録シート上に画像形成を行なって排紙部２０８へ記録シートを搬送して記録シートを順次排出する。ステップＳ５の状態では搬送経路は排紙トレイ４０１側へ設定されているので画像形成された記録シートが排紙トレイ４０１へ排出される。
【０１０９】
ステップＳ６ではジャムの発生を検知してジャムが発生すればステップＳ７へ、ジャムが発生していなければステップＳ１３へ進む。ステップＳ７では原稿給紙装置と通信することによってジャムが原稿給紙装置で発生しているかを判断する。原稿給紙装置でジャムが発生していればステップＳ８へ、原稿給紙装置以外でジャムが発生していればステップＳ１１へ進む。ステップＳ８では定着が行われていて排紙部２０８まで搬送された画像形成されている記録シートを機外へ排出する。
【０１１０】
ステップＳ８の状態ではステップＳ３で搬送経路を排紙トレイ４０１に設定しているので、排紙トレイ４０１に記録シートを排出する。
【０１１１】
ステップＳ９では図１で示すフラッパ４０３を切り替えて記録シートが予備トレイ４０２へ排出されるよう搬送経路の切り替えを行なう。次にフラッパ４０３の切り替えが行われるまで搬送経路の状態は保持される。ステップＳ１０では搬送経路上の記録シートを機外へ排出する。ステップＳ１０の状態ではステップＳ９で搬送経路を予備トレイ４０２に設定しているので、予備トレイ４０２に記録シートを排出する。
【０１１２】
ステップＳ１１はジャムリカバリ処理を行なう。給紙動作、画像形成動作を中止し、操作部上のＬＣＤディスプレイには「紙を取り除いて下さい」等の表示を行なって使用者にジャムの解除を促す。使用者によってジャムの原因となる記録シートが排除された場合にステップＳ１２に進む。ステップＳ１２では操作部上ＬＣＤディスプレイには「スタートキーを押して下さい」等の表示を行う。
【０１１３】
コピースタートキーの状態を検知しコピースタートキーが押下されればステップＳ３へ進む。ステップＳ１３では操作部上に配置された割り込みキーの状態を検知し割り込みキーが押下されていればステップＳ１５へ進み、押下されていなければステップＳ１４へ進む。ステップＳ１４ではステップＳ１で操作部に設定した部数の画像形成が行われたかを判断して設定した部数の画像形成が行われていればジョブを終了する。ジョブが終了していればフローを終了し、ジョブが終了していなければステップＳ６へ進む。
【０１１４】
ステップＳ１５では給紙動作を停止し、給紙が行われた記録シートへは画像形成を行なって機外へ排出するといった割り込み移行処理を行なう。ステップＳ１５の状態ではステップＳ３で搬送経路を排紙トレイ４０１に設定しているので、排紙トレイ４０１に記録シートを排出する。ステップＳ１６では割り込みジョブで行なう画像形成の部数等の使用者による操作部の設定を受け付ける。ステップＳ１７では割り込みキーの状態を検知して割り込みキーが押下されていればジョブを再開するためステップＳ３へ進み、押下されていなければステップＳ１８へ進む。
【０１１５】
ステップＳ１８ではコピースタートキーの状態を検知してコピースタートキーが押下されていればステップＳ１９へ進み、押下されていなければステップＳ１６へ進む。ステップＳ１９ではフラッパ４０３を切り替えて記録シートが予備トレイ４０２へ排出されるよう搬送経路の制御を行なう。次にフラッパ４０３を切り替える制御が行われるまで搬送経路の状態は保持される。ステップＳ２０では用紙カセット２０４からの給紙を開始し、ジョブが終了するまで所定の時間毎に給紙が行われる。ステップＳ２１では画像形成動作を開始する。
【０１１６】
ステップＳ２０で給紙された記録シートが転写部２０６に搬送されると前述したように転写・定着が行われ記録シート上に画像形成を行なって排紙部２０８へ記録シートを搬送して記録シートを順次排出する。ステップＳ２１の状態では搬送経路は予備トレイ４０２側へ設定されているので画像形成された記録シートは予備トレイ４０２へ排出される。ステップＳ２２では操作部で設定した枚数の画像形成が行われたかを判断し、設定した枚数の画像形成が行われていれば割り込みジョブが終了したと判断する。割り込みジョブが終了すればステップＳ１６へ進む。
【０１１７】
上述した制御により、通常の画像形成が行われたシートは常に排紙トレイ４０１に排出されるので、使用者は排紙トレイ４０１に排出されたシートだけを取り出せばよく、ジャムなどの発生により画像形成が行われなかったシートは予備トレイ４０２に排出されるので、使用者が取り出そうとする排紙トレイ４０１上のシート束の中に混入することがない。
【０１１８】
また、割り込みジョブのシートは予備トレイ４０２に排出されるので、それぞれのジョブのシートが混ざり合うことがない。そしてこのような構成であるから、ＯＡ機器に不慣れな使用者に関しては普通の画像形成を行わせることがほとんどなので、このような不慣れな使用者は排紙トレイ４０１に排出されたシートを常に取り出すようにすればよく、どのトレイから取り出せばよいのかわからないといったことがない。なお、本実施例では装置として説明したが、上述した排出方法またはそれを実現させるためのプログラムを格納した記憶媒体として実施してもよい。
【０１１９】
このように本実施例では、記録媒体である記録シートを積載するトレイである少なくとも１つ以上の排紙トレイと記録シートを積載するトレイである予備トレイとを備え、ジョブを一時中断して、中断したジョブとは異なるジョブである割り込みジョブを開始する際に、割り込みジョブで画像形成した記録シート、あるいは所望した画像形成を行なうことができなかった記録シートを予備トレイに排出し、予備トレイに排出しない記録シートは排紙トレイに排出するようにしたので、ジョブを一時中断した後に他のジョブを行なう割り込みモードで画像形成した記録シートとジョブを中断する前に画像形成した記録シートをそれぞれ別のトレイに排出するので割り込みモードで画像形成した記録シートがどれであるかわからなくなってしまうことがなくなる。
【０１２０】
また、ジャムなどでジョブを中断したあとにジョブを再開した場合に、正常に画像形成が行なうことができなかった記録シートとジョブを中断する前に画像形成した記録シートをそれぞれ別のトレイに排出するので、ジョブを中断するまえに排出した記録シートとジョブを再開した後に排出した記録シートの間に正常に画像形成が行なうことができなかった記録シートが積載されてしまうことなくなり不要な記録シートが混載されてしまう可能性がなくなる。
【０１２１】
さらに、予備トレイに排出するのは割り込みモードの時と、正常に画像形成が行なうことができなかった記録シートだけであるので、予備トレイは最大積載枚数の少ない簡素な構成とすることができる。
【０１２２】
また、記録媒体である記録シートを積載するトレイである少なくとも１つ以上の排紙トレイと記録シートを積載するトレイである予備トレイとを備え、割り込みジョブで画像形成した記録シート、あるいは記録シート搬送路上以外でジャムが発生したことを検出した場合に記録シート搬送路上の記録シートで画像形成が行われていない記録シートを予備トレイに排出し、予備トレイに排出しない記録シートは排紙トレイに排出する手段を有しているので、ジョブを一時中断した後に他のジョブを行なう割り込みモードで画像形成した記録シートとジョブを中断する前に画像形成した記録シートをそれぞれ別のトレイに排出するので割り込みモードで画像形成した記録シートがどれであるかわからなくなってしまうことがなくなる。
【０１２３】
また、ジャムの発生によってジョブを中断したあとにジョブを再開した場合に、画像形成が行われていない記録シートとジョブを中断する前に画像形成した記録シートをそれぞれ別のトレイに排出するので、不要な記録シートが混載されてしまう可能性がなくなる。
【０１２４】
さらに、予備トレイに排出するのは割り込みモードの時と、画像形成が行なわれていない記録シートだけであるので、予備トレイは最大積載枚数の少ない簡素な構成とすることができる。
【０１２５】
また、記録媒体である記録シートを積載するトレイである少なくとも１つ以上の排紙トレイと記録シートを積載するトレイである予備トレイとを備え、割り込みジョブで画像形成した記録シート、あるいは読み取り動作の中断が行われた時に記録シート搬送路上の記録シートで画像形成が行われていない記録シートを予備トレイに排出し、予備トレイに排出しない記録シートは排紙トレイに排出するようにしたので、ジョブを一時中断した後に他のジョブを行なう割り込みモードで画像形成した記録シートとジョブを中断する前に画像形成した記録シートをそれぞれ別のトレイに排出するので割り込みモードで画像形成した記録シートがどれであるかわからなくなってしまうことがなくなる。
【０１２６】
また、例えば原稿を読込み中に画像メモリの空き領域がなくなった場合に発生するメモリフル中断などが起きた場合などでも、読み取り中断手段によってジョブを中断したあとにジョブを再開した場合に、画像形成が行われていない記録シートとジョブを中断する前に画像形成した記録シートをそれぞれ別のトレイに排出するので、不要な記録シートが混載されてしまう可能性がなくなる。
【０１２７】
さらに、予備トレイに排出するのは割り込みモードの時と、画像形成が行なわれていない記録シートだけであるので、予備トレイは最大積載枚数の少ない簡素な構成とすることができる。
【０１２８】
また、記録媒体である記録シートを積載するトレイである少なくとも１つ以上の排紙トレイと記録シートを積載するトレイである予備トレイとを備え、割り込みジョブで画像形成した記録シートは予備トレイに排出し、予備トレイに排出しない記録シートは排紙トレイに排出する手段を有しているので、ジョブを一時中断した後に他のジョブを行なう割り込みモードで画像形成した記録シートとジョブを中断する前に画像形成した記録シートをそれぞれ別のトレイに排出するので割り込みモードで画像形成した記録シートがどれであるかわからなくなってしまうことがなくなる。
【０１２９】
さらに、予備トレイに排出するのは割り込みモードの時だけであるので、予備トレイは最大積載枚数の少ない簡素な構成とすることができる。
【図面の簡単な説明】
【０１３０】
【図１】本発明の一実施例による画像形成装置の全体構成を示す断面図
【図２】図１の循環式自動原稿送り装置の構成を示す断面図
【図３】一実施例の操作・表示パネルの配置構成を示す説明図
【図４】一実施例の画像形成装置のシステム構成を示すブロック図
【図５】図４のリーダ部の信号処理構成を示すブロック図
【図６】図４のコア部の詳細構成を示すブロック図
【図７】一実施例の循環式自動原稿送り装置の制御装置の構成を示すブロック図
【図８】一実施例のシート後処理装置の制御装置の構成を示すブロック図
【図９】一実施例の排紙制御動作を示すフローチャート
【符号の説明】
【０１３１】
１  リーダ部
２  プリンタ部
１０  コア部
１００  画像入力装置（リーダ部）
２００  画像出力装置（プリンタ）
３００  循環式自動原稿送り装置（ＲＤＦ）
４００  シート後処理装置（ソータ）
４０１  排紙トレイ（第１の排出部）
４０２  予備トレイ（第２の排出部）
４０３  フラッパ
４０４  予備トレイ側ローラ
４０５  排紙トレイ側ローラ
【図１】
2005022875.tif 000003
【図２】
2005022875.tif 000004
【図３】
2005022875.tif 000005
【図４】
2005022875.tif 000006
【図５】
2005022875.tif 000007
【図６】
2005022875.tif 000008
【図７】
2005022875.tif 000009
【図８】
2005022875.tif 000010
【図９】
2005022875.tif 000011